(57)【要約】【課題】直列に接続された２つのコンデンサのＥＳＬの増大を抑制し、実装面積を小さくすることが可能なコンデンサユニットを提供する。【解決手段】誘電体からなる素体の内部に第１及び第２のコンデンサが配置されている。第１及び第２のコンデンサは、それぞれ誘電体層を介して対向する一対の第１の内部電極及び一対の第２の内部電極を含む。素体の１つの表面、一対の第１の内部電極にそれぞれ接続された一対の第１の外部電極、及び一対の第２の内部電極にそれぞれ接続された一対の第２の外部電極が設けられている。一対の第１の内部電極及び一対の第２の内部電極は第１の方向に積層されており、一対の第１の外部電極及び一対の第２の外部電極は、第１の方向と直交する第２の方向に関して異なる位置に配置されている。第２の方向に関して、一対の第１の外部電極の間に少なくとも１つの第２の外部電極が配置されている。【選択図】図１
2019004070.tif 000002
【特許請求の範囲】
【請求項１】
誘電体からなる素体の内部に配置され、誘電体層を介して対向する一対の第１の内部電極を含む第１のコンデンサと、
前記素体の内部に配置され、誘電体層を介して対向する一対の第２の内部電極を含む第２のコンデンサと、
前記素体の１つの表面に設けられ、一対の前記第１の内部電極にそれぞれ接続された一対の第１の外部電極、及び一対の前記第２の内部電極にそれぞれ接続された一対の第２の外部電極と
を有し、
一対の前記第１の内部電極及び一対の前記第２の内部電極は第１の方向に積層されており、一対の前記第１の外部電極及び一対の前記第２の外部電極は、前記第１の方向と直交する第２の方向に関して異なる位置に配置されており、前記第２の方向に関して、一対の前記第１の外部電極の間に少なくとも１つの前記第２の外部電極が配置されているコンデンサユニット。
【請求項２】
一対の前記第１の内部電極及び一対の前記第２の内部電極の各々は、主部及び引き出し部を含み、一対の前記第１の内部電極及び一対の前記第２の内部電極の前記主部は相互に重なっており、複数の前記引き出し部はそれぞれ前記主部から同一方向に向かって引き出されており、一対の前記第１の内部電極の前記引き出し部は、それぞれ一対の前記第１の外部電極に接続されており、一対の前記第２の内部電極の前記引き出し部は、それぞれ一対の前記第２の外部電極に接続されている請求項１に記載のコンデンサユニット。
【請求項３】
前記第１のコンデンサは、各々が一対の前記第１の内部電極を含む複数の第１のコンデンサ要素で構成され、
前記第２のコンデンサは、各々が一対の前記第２の内部電極を含む複数の第２のコンデンサ要素で構成され、
前記第１のコンデンサ要素と前記第２のコンデンサ要素とは前記第１の方向に交互に積層されている請求項１または２に記載のコンデンサユニット。
【請求項４】
前記第１のコンデンサ要素の１つの前記第１の内部電極と、当該第１の内部電極に前記第１の方向に隣り合う前記第２の内部電極とで形成される静電容量は、１つの前記第１のコンデンサ要素の一対の前記第１の内部電極で形成される静電容量より小さい請求項３に記載のコンデンサユニット。
【請求項５】
相互に隣り合う前記第１のコンデンサ要素と前記第２のコンデンサ要素との間に絶縁性の強磁性材料が配置されている請求項３または４に記載のコンデンサユニット。
【請求項６】
電源パターンとグランドパターンとが設けられた配線基板と、
前記配線基板に実装され、誘電体の素体の内部に配置された第１のコンデンサ及び第２のコンデンサを含むコンデンサユニットと
を有し、
前記第１のコンデンサ及び前記第２のコンデンサは相互に直列に接続され、前記第１のコンデンサを通って前記電源パターンから前記グランドパターンに向かって流れる電流による磁界と、前記第２のコンデンサを通って前記電源パターンから前記グランドパターンに向かって流れる電流による磁界とが弱め合うように前記第１のコンデンサ及び前記第２のコンデンサが配置されている電子部品。
【請求項７】
前記コンデンサユニットは、
前記素体の１つの表面に設けられた一対の第１の外部電極と一対の第２の外部電極と
を含み、
前記第１のコンデンサは、前記素体の内部に配置されて、誘電体層を介して対向する一対の第１の内部電極を含み、
前記第２のコンデンサは、前記素体の内部に配置されて、誘電体層を介して対向する一対の第２の内部電極を含み、
一対の前記第１の外部電極は、それぞれ一対の前記第１の内部電極に接続されており、一対の前記第２の外部電極は、それぞれ一対の前記第２の内部電極に接続されており、
一対の前記第１の内部電極及び一対の前記第２の内部電極は第１の方向に積層されており、一対の前記第１の外部電極及び一対の前記第２の外部電極は、前記第１の方向と直交する第２の方向に関して異なる位置に配置されており、前記第２の方向に関して、一対の前記第１の外部電極の間に少なくとも１つの前記第２の外部電極が配置されており、
一対の前記第１の外部電極の一方が前記電源パターンに接続され、前記第２の外部電極の一方が前記グランドパターンに接続され、前記第１の外部電極の他方が前記第２の外部電極の他方に接続されている請求項６に記載の電子部品。
【請求項８】
電源パターンとグランドパターンとが設けられた配線基板と、
前記配線基板に実装された第１のコンデンサユニット及び第２のコンデンサユニットと
を有し、
前記第１のコンデンサユニット及び前記第２のコンデンサユニットの各々は、誘電体の素体の内部に配置された２つのコンデンサを含み、
前記第１のコンデンサユニットの一方の前記コンデンサと前記第２のコンデンサユニットの一方の前記コンデンサとが直列に接続されて第１の直列回路を構成し、
前記第１のコンデンサユニットの他方の前記コンデンサと前記第２のコンデンサユニットの他方の前記コンデンサとが直列に接続されて第２の直列回路を構成し、
前記第１の直列回路と前記第２の直列回路とは、前記電源パターンと前記グランドパターンとの間に並列に接続され、前記第１の直列回路を通って前記電源パターンから前記グランドパターンに向かって流れる電流による磁界と、前記第２の直列回路を通って前記電源パターンから前記グランドパターンに向かって流れる電流による磁界とが相互に弱め合うように前記第１のコンデンサユニットと前記第２のコンデンサユニットとが配置されている電子部品。
【請求項９】
前記第１のコンデンサユニット及び前記第２のコンデンサユニットの各々は、
前記素体の１つの表面に設けられた一対の第１の外部電極と一対の第２の外部電極と
を含み、
一方の前記コンデンサは、前記素体の内部に配置されて、誘電体層を介して対向する一対の第１の内部電極を含み、
他方の前記コンデンサは、前記素体の内部に配置されて、誘電体層を介して対向する一対の第２の内部電極を含み、
一対の前記第１の外部電極は、それぞれ一対の前記第１の内部電極に接続されており、一対の前記第２の外部電極は、それぞれ一対の前記第２の内部電極に接続されており、
一対の前記第１の内部電極及び一対の前記第２の内部電極は第１の方向に積層されており、一対の前記第１の外部電極及び一対の前記第２の外部電極は、前記第１の方向と直交する第２の方向に関して異なる位置に配置されており、前記第２の方向に関して、一対の前記第１の外部電極の間に少なくとも１つの前記第２の外部電極が配置されている請求項８に記載の電子部品。
【請求項１０】
前記第１のコンデンサユニット及び前記第２のコンデンサユニットは、前記配線基板の同一の表面に、前記第１の方向が前記配線基板の表面に対して垂直になり、前記第２の方向が前記配線基板の表面に対して平行になり、前記第１の外部電極及び前記第２の外部電極が設けられた面同士を対向させた姿勢で実装されている請求項９に記載の電子部品。
【請求項１１】
前記第１のコンデンサユニットは前記配線基板の表側の表面に実装され、前記第２のコンデンサユニットは、前記配線基板の裏側の表面に実装されており、
前記第１のコンデンサユニット及び前記第２のコンデンサユニットは、前記第１の方向及び前記第２の方向が前記配線基板の表面に対して平行になり、前記第１の外部電極及び前記第２の外部電極が設けられた面同士を、前記配線基板を介して対向させた姿勢で実装されている請求項９に記載の電子部品。
【発明の詳細な説明】
【技術分野】
【０００１】
本発明は、コンデンサユニット及びコンデンサユニットを実装した電子部品に関する。
【背景技術】
【０００２】
車載用の電子機器においては、デカップリングコンデンサとして、直列接続された２つのセラミックコンデンサが用いられる。この構成を採用すると、一方のセラミックコンデンサに短絡モード故障が発生しても電源とグランドとの間が短絡しないため、電子機器の信頼性向上を図ることができる。
【０００３】
直列接続される２個のセラミックコンデンサを配線基板上に並べて実装すると、セラミックコンデンサ２個分の実装面積が必要になる。また、近年、車載用電子機器の配線基板の小型化が求められており、配線基板上の実装部品が密集している箇所では、２個のコンデンサを２段積みにして実装面積の削減を図っている。コストダウンの観点から、部品点数の削減及び基板面積の低減等が進められている。
【０００４】
２個のセラミックコンデンサを直列に接続すると、それぞれの等価直列インダクタンス（ＥＳＬ）が足し合わされることになるため、全体としてＥＳＬが大きくなってしまう。ＥＳＬを低減させることが可能なコンデンサが特許文献１に開示されている。
【０００５】
特許文献１に開示されたコンデンサは、誘電体素体内に配置された２種類の内部導体（内部電極）を含み、各内部導体は３つの側面に跨って引き出されている。誘電体素体の外側に２つの端子電極（外部電極）が形成されており、端子電極は３つの側面に跨って配置されている。２つの端子電極と、２種類の内部導体とが相互に接続されることで、２種類の内部導体内において電流が相互に逆向きに流れる箇所が存在するようになる。このため、磁界を相殺する作用が生じ、ＥＳＬを小さくすることができる。
【先行技術文献】
【特許文献】
【０００６】
【特許文献１】特開２００３−５１４２３号公報
【発明の概要】
【発明が解決しようとする課題】
【０００７】
従来のコンデンサにおいては、個々のコンデンサのＥＳＬを小さくすることはできるが、２個のコンデンサを直列に接続した回路のＥＳＬは、個々のコンデンサのＥＳＬのほぼ２倍になってしまう。また、配線基板に２個のコンデンサを実装すると場合には、２個分のコンデンサの実装面積が必要になる。このため、配線基板の小型化の点で不利である。
【０００８】
本発明の目的は、直列に接続された２つのコンデンサのＥＳＬの増大を抑制し、実装面積を小さくすることが可能なコンデンサユニットを提供することである。本発明の他の目的は、このコンデンサユニットを実装した電子部品を提供することである。
【課題を解決するための手段】
【０００９】
本発明の第１の観点によるコンデンサユニットは、
誘電体からなる素体の内部に配置され、誘電体層を介して対向する一対の第１の内部電極を含む第１のコンデンサと、
前記素体の内部に配置され、誘電体層を介して対向する一対の第２の内部電極を含む第２のコンデンサと、
前記素体の１つの表面に設けられ、一対の前記第１の内部電極にそれぞれ接続された一対の第１の外部電極、及び一対の前記第２の内部電極にそれぞれ接続された一対の第２の外部電極と
を有し、
一対の前記第１の内部電極及び一対の前記第２の内部電極は第１の方向に積層されており、一対の前記第１の外部電極及び一対の前記第２の外部電極は、前記第１の方向と直交する第２の方向に関して異なる位置に配置されており、前記第２の方向に関して、一対の前記第１の外部電極の間に少なくとも１つの前記第２の外部電極が配置されている。
【００１０】
１つの素体内に第１のコンデンサと第２のコンデンサとが配置されているため、２つの個別のコンデンサチップを配線基板に実装する場合と比べて、実装面積を小さくすることができる。第１の外部電極の一方から他方に流す電流の向きと、第２の外部電極の一方から他方に流す電流の向きとが反対向きになるようにコンデンサユニットを接続するとよい。このように接続すると、第１の内部電極を流れる電流による磁界と第２の内部電極を流れる電流による磁界とが相互に弱め合う。その結果、コンデンサユニットのＥＳＬの増大を抑制することができる。
【００１１】
本発明の第２の観点によるコンデンサユニットは、第１の観点によるコンデンサユニットの構成に加えて、
一対の前記第１の内部電極及び一対の前記第２の内部電極の各々は、主部及び引き出し部を含み、一対の前記第１の内部電極及び一対の前記第２の内部電極の前記主部は相互に重なっており、複数の前記引き出し部はそれぞれ前記主部から同一方向に向かって引き出されており、一対の前記第１の内部電極の前記引き出し部は、それぞれ一対の前記第１の外部電極に接続されており、一対の前記第２の内部電極の前記引き出し部は、それぞれ一対の前記第２の外部電極に接続されているという特徴を有する。
【００１２】
一対の第１の内部電極の主部が容量結合することにより、第１のコンデンサが形成される。同様に、一対の第２の内部電極の主部が容量結合することにより、第２のコンデンサが形成される。
【００１３】
本発明の第３の観点によるコンデンサユニットは、第１または第２の観点によるコンデンサユニットの構成に加えて、
前記第１のコンデンサは、各々が一対の前記第１の内部電極を含む複数の第１のコンデンサ要素で構成され、
前記第２のコンデンサは、各々が一対の前記第２の内部電極を含む複数の第２のコンデンサ要素で構成され、
前記第１のコンデンサ要素と前記第２のコンデンサ要素とは前記第１の方向に交互に積層されているという特徴を有する。
【００１４】
第１のコンデンサ要素と第２のコンデンサ要素とを交互に積層することにより、第１のコンデンサ要素と第２のコンデンサ要素との間の磁気結合を強めることができる。これにより、第１のコンデンサ要素の流れる電流による磁界と第２のコンデンサ要素を流れる電流による磁界とが弱め合う効果を高めることができる。
【００１５】
本発明の第４の観点によるコンデンサユニットは、第３の観点によるコンデンサユニットの構成に加えて、
前記第１のコンデンサ要素の１つの前記第１の内部電極と、当該第１の内部電極に前記第１の方向に隣り合う前記第２の内部電極とで形成される静電容量は、１つの前記第１のコンデンサ要素の一対の前記第１の内部電極で形成される静電容量より小さいという特徴を有する。
【００１６】
第１の内部電極と第２の内部電極とで形成される寄生容量によって、本来の電流経路以外の電流経路が形成される。第１の内部電極と第２の内部電極とで形成される静電容量を小さくすることにより、本来の電流経路以外の電流経路を通って流れる電流を低減させることができる。
【００１７】
本発明の第５の観点によるコンデンサユニットは、第３または第４の観点によるコンデンサユニットの構成に加えて、
相互に隣り合う前記第１のコンデンサ要素と前記第２のコンデンサ要素との間に絶縁性の強磁性材料が配置されているという特徴を有する。
【００１８】
第１のコンデンサを流れる電流と第２のコンデンサを流れる電流との磁気結合が大きくなる。これにより、第１のコンデンサを流れる電流による磁界と第２のコンデンサを流れる電流による磁界とが弱め合うという効果を高めることができる。
【００１９】
本発明の第６の観点による電子部品は、
電源パターンとグランドパターンとが設けられた配線基板と、
前記配線基板に実装され、誘電体の素体の内部に配置された第１のコンデンサ及び第２のコンデンサを含むコンデンサユニットと
を有し、
前記第１のコンデンサ及び前記第２のコンデンサは相互に直列に接続され、前記第１のコンデンサを通って前記電源パターンから前記グランドパターンに向かって流れる電流による磁界と、前記第２のコンデンサを通って前記電源パターンから前記グランドパターンに向かって流れる電流による磁界とが弱め合うように前記第１のコンデンサ及び前記第２のコンデンサが配置されている。
【００２０】
第１のコンデンサ及び第２のコンデンサが１つの素体内に配置されているため、実装面積を小さくすることができる。第１のコンデンサを流れる電流による磁界と第２のコンデンサを流れる電流による磁界とが弱め合うことにより、ＥＳＬを小さくするという効果が得られる。
【００２１】
本発明の第７の観点による電子部品は、第６の観点による電子部品の構成に加えて、
前記コンデンサユニットは、
前記素体の１つの表面に設けられた一対の第１の外部電極と一対の第２の外部電極と
を含み、
前記第１のコンデンサは、前記素体の内部に配置されて、誘電体層を介して対向する一対の第１の内部電極を含み、
前記第２のコンデンサは、前記素体の内部に配置されて、誘電体層を介して対向する一対の第２の内部電極を含み、
一対の前記第１の外部電極は、それぞれ一対の前記第１の内部電極に接続されており、一対の前記第２の外部電極は、それぞれ一対の前記第２の内部電極に接続されており、
一対の前記第１の内部電極及び一対の前記第２の内部電極は第１の方向に積層されており、一対の前記第１の外部電極及び一対の前記第２の外部電極は、前記第１の方向と直交する第２の方向に関して異なる位置に配置されており、前記第２の方向に関して、一対の前記第１の外部電極の間に少なくとも１つの前記第２の外部電極が配置されており、
一対の前記第１の外部電極の一方が前記電源パターンに接続され、前記第２の外部電極の一方が前記グランドパターンに接続され、前記第１の外部電極の他方が前記第２の外部電極の他方に接続されているという特徴を有する。
【００２２】
上述のように接続すると、第１のコンデンサを流れる電流による磁界と第２のコンデンサを流れる電流による磁界とが弱め合うようになる。
【００２３】
本発明の第８の観点による電子部品は、
電源パターンとグランドパターンとが設けられた配線基板と、
前記配線基板に実装された第１のコンデンサユニット及び第２のコンデンサユニットと
を有し、
前記第１のコンデンサユニット及び前記第２のコンデンサユニットの各々は、誘電体の素体の内部に配置された２つのコンデンサを含み、
前記第１のコンデンサユニットの一方の前記コンデンサと前記第２のコンデンサユニットの一方の前記コンデンサとが直列に接続されて第１の直列回路を構成し、
前記第１のコンデンサユニットの他方の前記コンデンサと前記第２のコンデンサユニットの他方の前記コンデンサとが直列に接続されて第２の直列回路を構成し、
前記第１の直列回路と前記第２の直列回路とは、前記電源パターンと前記グランドパターンとの間に並列に接続され、前記第１の直列回路を通って前記電源パターンから前記グランドパターンに向かって流れる電流による磁界と、前記第２の直列回路を通って前記電源パターンから前記グランドパターンに向かって流れる電流による磁界とが相互に弱め合うように前記第１のコンデンサユニットと前記第２のコンデンサユニットとが配置されている。
【００２４】
第１の直列回路を流れる電流による磁界と第２の直列回路を流れる電流による磁界とが弱め合うため、ＥＳＬの増大を抑制することができる。第１の直列回路と第２の直列回路とが、電源パターンとグランドパターンとの間に並列に接続されているため、一方の直列回路に開放モード故障が発生しても、他方の直列回路が有効に動作する。このため、信頼性を高めることができる。
【００２５】
本発明の第９の観点による電子部品は、第８の観点による電子部品の構成に加えて、
前記第１のコンデンサユニット及び前記第２のコンデンサユニットの各々は、
前記素体の１つの表面に設けられた一対の第１の外部電極と一対の第２の外部電極と
を含み、
一方の前記コンデンサは、前記素体の内部に配置されて、誘電体層を介して対向する一対の第１の内部電極を含み、
他方の前記コンデンサは、前記素体の内部に配置されて、誘電体層を介して対向する一対の第２の内部電極を含み、
一対の前記第１の外部電極は、それぞれ一対の前記第１の内部電極に接続されており、一対の前記第２の外部電極は、それぞれ一対の前記第２の内部電極に接続されており、
一対の前記第１の内部電極及び一対の前記第２の内部電極は第１の方向に積層されており、一対の前記第１の外部電極及び一対の前記第２の外部電極は、前記第１の方向と直交する第２の方向に関して異なる位置に配置されており、前記第２の方向に関して、一対の前記第１の外部電極の間に少なくとも１つの前記第２の外部電極が配置されているという特徴を有する。
【００２６】
第１のコンデンサユニット及び第２のコンデンサユニットをこのような構造とすることにより、第８の観点による電子機器の第１の直列回路及び第２の直列回路を構成することができる。
【００２７】
本発明の第１０の観点による電子部品は、第９の観点による電子部品の構成に加えて、
前記第１のコンデンサユニット及び前記第２のコンデンサユニットは、前記配線基板の同一の表面に、前記第１の方向が前記配線基板の表面に対して垂直になり、前記第２の方向が前記配線基板の表面に対して平行になり、前記第１の外部電極及び前記第２の外部電極が設けられた面同士を対向させた姿勢で実装されているという特徴を有する。
【００２８】
第１のコンデンサユニットと第２のコンデンサユニットとを、このような姿勢で実装することにより、第８の観点による電子機器の第１の直列回路及び第２の直列回路を構成することができる。
【００２９】
本発明の第１１の観点による電子部品は、第９の観点による電子部品の構成に加えて、
前記第１のコンデンサユニットは前記配線基板の表側の表面に実装され、前記第２のコンデンサユニットは、前記配線基板の裏側の表面に実装されており、
前記第１のコンデンサユニット及び前記第２のコンデンサユニットは、前記第１の方向及び前記第２の方向が前記配線基板の表面に対して平行になり、前記第１の外部電極及び前記第２の外部電極が設けられた面同士を、前記配線基板を介して対向させた姿勢で実装されているという特徴を有する。
【００３０】
第１のコンデンサユニットと第２のコンデンサユニットとを、このような姿勢で実装することにより、第８の観点による電子機器の第１の直列回路及び第２の直列回路を構成することができる。
【発明の効果】
【００３１】
１つの素体内に第１のコンデンサと第２のコンデンサとが配置されているため、２つの個別のコンデンサチップを配線基板に実装する場合と比べて、実装面積を小さくすることができる。第１の外部電極の一方から他方に流す電流の向きと、第２の外部電極の一方から他方に流す電流の向きとが反対向きになるようにコンデンサユニットを接続するとよい。このように接続すると、第１の内部電極を流れる電流による磁界と第２の内部電極を流れる電流による磁界とが相互に弱め合う。その結果、コンデンサユニットのＥＳＬの増大を抑制することができる。
【図面の簡単な説明】
【００３２】
【図１】図１Ａは、第１実施例によるコンデンサユニットの斜視図であり、図１Ｂ及び図１Ｃは、それぞれ素体内に配置された２種類の第１の内部電極の平面形状を示す図であり、図１Ｄ及び図１Ｅは、それぞれ素体内に配置された２種類の第２の内部電極の平面形状を示す図である。
【図２】図２Ａは、第１実施例によるコンデンサユニットの製造途中段階における分解斜視図であり、図２Ｂは、図２Ａの切断面２Ｂに相当する位置におけるコンデンサユニットの断面図である。
【図３】図３Ａは、第１実施例によるコンデンサユニットの第１の内部電極及び第２の内部電極の相対位置関係を示す模式図であり、図３Ｂは第１実施例によるコンデンサユニットの等価回路図である。
【図４】図４Ａは、第２実施例によるコンデンサユニットの底面を上方に向けた状態の斜視図であり、図４Ｂ及び図４Ｃは、それぞれ素体内に配置された２種類の第１の内部電極の平面形状を示す図であり、図４Ｄ及び図４Ｅは、それぞれ素体内に配置された２種類の第２の内部電極の平面形状を示す図である。
【図５】図５Ａは、第３実施例によるコンデンサユニットの底面を上方に向けた状態の斜視図であり、図５Ｂ及び図５Ｃは、それぞれ素体内に配置された２種類の第１の内部電極の平面形状を示す図であり、図５Ｄ及び図５Ｅは、それぞれ素体内に配置された２種類の第２の内部電極の平面形状を示す図である。
【図６】図６Ａは、第４実施例によるコンデンサユニットの底面を上方に向けた状態の斜視図であり、図６Ｂ及び図６Ｃは、それぞれ素体内に配置された２種類の第１の内部電極の平面形状を示す図であり、図６Ｄ及び図６Ｅは、それぞれ素体内に配置された２種類の第２の内部電極の平面形状を示す図である。
【図７】図７は、第５実施例による電子部品の斜視図である。
【図８】図８は、第５実施例による電子部品の第１のコンデンサユニットと第２のコンデンサユニットとの接続形態を示す図である。
【図９】図９は、第５実施例の第１変形例による電子部品の第１のコンデンサユニットと第２のコンデンサユニットとの接続形態を示す図である。
【図１０】図１０は、第５実施例の第２変形例による電子部品の第１のコンデンサユニットと第２のコンデンサユニットとの接続形態を示す図である。
【図１１】図１１は、第６実施例による電子部品の斜視図である。
【図１２】図１２は、第６実施例による電子部品の第１のコンデンサユニットと第２のコンデンサユニットとの接続形態を示す図である。
【発明を実施するための形態】
【００３３】
［第１実施例］
図１Ａから図３Ｂまでの図面を参照して、第１実施例によるコンデンサユニットについて説明する。
【００３４】
図１Ａは、第１実施例によるコンデンサユニット１０の斜視図である。図１Ａでは、コンデンサユニット１０の底面１４が上方に向いた姿勢で表されている。誘電体からなる直方体形状の素体１５の底面１４に、一対の第１の外部電極１１及び一対の第２の外部電極１２が設けられている。直方体形状の素体１５の長さ方向をｘ軸、幅方向をｙ軸、高さ方向をｚ軸とするｘｙｚ直交座標系を定義する。
【００３５】
一対の第１の外部電極１１及び一対の第２の外部電極１２は、ｘ軸方向（第２の方向）に関して異なる位置に配置されている。例えば、一対の第１の外部電極１１及び一対の第２の外部電極１２はｘ軸方向に１列に並んで配置されている。一対の第１の外部電極１１の間に、１つの第２の外部電極１２が配置されている。すなわち、一対の第１の外部電極１１と一対の第２の外部電極１２とが交互に配置されている。
【００３６】
素体１５内に第１のコンデンサと第２のコンデンサとが配置されている。第１のコンデンサは、２種類の第１の内部電極を含み、第２のコンデンサは、２種類の第２の内部電極を含む。第１の内部電極及び第２の内部電極の各々は、幅方向（ｙ軸方向）（第１の方向）に対して垂直な姿勢で素体１５内に配置される。
【００３７】
図１Ｂ及び図１Ｃは、それぞれ素体１５内に配置された第１の内部電極２１、２２の平面形状を示す図であり、図１Ｄ及び図１Ｅは、それぞれ素体１５内に配置された第２の内部電極３１、３２の平面形状を示す図である。一対の第１の内部電極２１、２２が誘電体層を挟んで平行に配置されることにより、第１のコンデンサが形成される。一対の第２の内部電極３１、３２が誘電体層を挟んで平行に配置されることにより、第２のコンデンサが形成される。
【００３８】
第１の内部電極２１、２２、及び第２の内部電極３１、３２は、それぞれ主部２１Ａ、２２Ａ、３１Ａ、３２Ａを含む。これらの主部２１Ａ、２２Ａ、３１Ａ、３２Ａは、実質的に合同であり、ｘｙ面内方向に関してほぼ同一の位置に配置されて相互に重なっている。主部２１Ａ、２２Ａ、３１Ａ、３２Ａの各々は、例えば門型の平面形状を有する。さらに、第１の内部電極２１、２２、及び第２の内部電極３１、３２は、それぞれ主部２１Ａ、２２Ａ、３１Ａ、３２Ａの一方の脚部から同一方向（下方向）に向かって引き出された引き出し部２１Ｂ、２２Ｂ、３１Ｂ、３２Ｂを含む。引き出し部２１Ｂ、２２Ｂ、３１Ｂ、３２Ｂの先端は、素体１５の底面１４まで達する。
【００３９】
引き出し部２１Ｂが主部２１Ａから引き出されている箇所と、引き出し部２２Ｂが主部２２Ａから引き出されている箇所とは、長さ方向（ｘ軸方向）の中心に対して相互に反対側に位置する。同様に、引き出し部３１Ｂが主部３１Ａから引き出されている箇所と、引き出し部３２Ｂが主部３２Ａから引き出されている箇所とは、ｘ軸方向の中心に対して相互に反対側に位置する。引き出し部２１Ｂ、３２Ｂがそれぞれ主部２１Ａ、３２Ａから引き出されている箇所は、ｘ軸方向の中心に対して同じ側（ｘ軸の正の側）に位置する。同様に、引き出し部２２Ｂ、３１Ｂがそれぞれ主部２２Ａ、３１Ａから引き出されている箇所は、ｘ軸方向の中心に対して同じ側（ｘ軸の負の側）に位置する。
【００４０】
第１の内部電極２１の引き出し部２１Ｂ（図１Ｂ）は、一方の第１の外部電極１１（図１Ａ）に接続されており、第１の内部電極２２の引き出し部２２Ｂ（図１Ｃ）は、他方の第１の外部電極１１（図１Ａ）に接続されている。第２の内部電極３１の引き出し部３１Ｂ（図１Ｄ）は、一方の第２の外部電極１２（図１Ａ）に接続されており、第２の内部電極３２の引き出し部３２Ｂ（図１Ｅ）は、他方の第２の外部電極１２（図１Ａ）に接続されている。
【００４１】
図２Ａは、第１実施例によるコンデンサユニット１０の製造途中段階における分解斜視図である。
【００４２】
第１の内部電極２１、２２、及び第２の内部電極３１、３２が、それぞれグリーンシート１６に印刷されている。第１の内部電極２１、２２がそれぞれ印刷された２枚のグリーンシート１６を積層することにより、第１のコンデンサ要素４１ａが構成される。第２の内部電極３１、３２がそれぞれ印刷された２枚のグリーンシート１６を積層することにより第２のコンデンサ要素４２ａが構成される。
【００４３】
複数の第１のコンデンサ要素４１ａと複数の第２のコンデンサ要素４２ａとが、誘電体層を介して交互に幅方向（ｙ軸方向）に積層されている。複数の第１のコンデンサ要素４１ａは、一対の第１の外部電極１１（図１Ａ）を介して並列に接続されて、第１のコンデンサ４１を構成している。同様に、複数の第２のコンデンサ要素４２ａは、一対の第２の外部電極１２（図１Ａ）を介して並列に接続されて、第２のコンデンサ４２を構成している。
【００４４】
複数の第１のコンデンサ要素４１ａと複数の第２のコンデンサ要素４２ａとが誘電体シート１７を介して交互にｙ軸方向に積層される。相互に隣り合う第１のコンデンサ要素４１ａと第２のコンデンサ要素４２ａとの間には、１枚の誘電体シート１７を挿入してもよいし、２枚以上の誘電体シート１７を挿入してもよい。
【００４５】
第１の内部電極２２と第２の内部電極３１とが誘電体シート１７を挟んで隣り合わせになり、第２の内部電極３２と第１の内部電極２１とが誘電体シート１７を挟んで隣り合わせになる。このため、誘電体シート１７を挟んで隣り合う２つの内部電極の引き出し部は、ｘ軸方向の中心に対して同じ側に配置されることになる。
【００４６】
図２Ｂは、図２Ａの切断面２Ｂに相当する位置におけるコンデンサユニット１０の断面図である。複数のグリーンシート１６及び複数の誘電体シート１７を図２Ａに示したように積層して焼成することにより、内部に複数の第１の内部電極２１、２２、及び複数の第２の内部電極３１、３２が設けられた素体１５が得られる。素体１５は、複数のグリーンシート１６及び複数の誘電体シート１７が焼成されることにより形成される。底面１４に第１の外部電極１１が形成されている。図２Ｂに現れている第１の外部電極１１は、一方の第１の内部電極２１に接続されている。
【００４７】
第１の内部電極２１、２２が誘電体層を挟んで対向することにより、第１のコンデンサ要素４１ａが構成される。第２の内部電極３１、３２が誘電体層を挟んで対向することにより、第２のコンデンサ要素４２ａが構成される。複数の第１のコンデンサ要素４１ａと複数の第２のコンデンサ要素４２ａとが誘電体層を介して交互にｙ軸方向に積層されている。
【００４８】
次に、図３Ａ及び図３Ｂを参照して、第１実施例によるコンデンサユニット１０が有する優れた効果について説明する。
【００４９】
図３Ａは、第１の内部電極２１、２２、及び第２の内部電極３１、３２の相対位置関係を示す模式図であり、図３Ｂは等価回路図である。実際には、第１の内部電極２１、２２、及び第２の内部電極３１、３２の主部２１Ａ、２２Ａ、３１Ａ、３２Ａ（図１Ｂ、図１Ｃ、図１Ｄ、図１Ｅ）はほぼ重なって配置されているが、図３Ａでは上下左右方向にややずらして示している。また、実際には、複数対の第１の内部電極２１、２２、及び複数対の第２の内部電極３１、３２が配置されているが、図３Ａでは一対の第１の内部電極２１、２２及び一対の第２の内部電極３１、３２を代表して示している。
【００５０】
一対の第１の外部電極１１が、一対の第１の内部電極２１、２２からなる第１のコンデンサ４１の端子として利用され、一対の第２の外部電極１２が、一対の第２の内部電極３１、３２からなる第２のコンデンサ４２の端子として利用される。コンデンサユニット１０は、底面１４（図１Ａ）を配線基板５０に対向させた姿勢で配線基板５０に実装される。一方の第１の外部電極１１（図３Ａにおいてｘ軸の正の側の第１の外部電極１１）に、配線基板５０の電源パターン５１が接続されて電源電圧Ｖｃｃが印加される。ｘ軸方向に関して、電源電圧Ｖｃｃが印加されている第１の外部電極１１と同じ側（ｘ軸の正の側）に位置する第２の外部電極１２にグランドパターン５２が接続され、グランド電圧が印加される。他方の第１の外部電極１１と他方の第２の外部電極１２とが、配線基板５０内の導体パターン５３によって相互に接続される。これにより、第１のコンデンサ４１と第２のコンデンサ４２とが直列に接続される。この直列回路が電源とグランドとの間に挿入され、コンデンサユニット１０がデカップリングコンデンサとして作用する。
【００５１】
図３Ａにおいて、電流は、第１のコンデンサ４１を主として時計回りに流れ、第２のコンデンサ４２を主として反時計回りに流れる。このように、第１のコンデンサ４１を流れる電流の向きと第２のコンデンサ４２を流れる電流の向きとが反対であるため、両者の電流による磁界が相互に弱め合う。これにより、第１のコンデンサ４１と第２のコンデンサ４２との直列回路のＥＳＬの増大を抑制することができる。
【００５２】
第１のコンデンサ要素４１ａ（図２Ｂ）と第２のコンデンサ要素４２ａ（図２Ｂ）とを交互に積層することにより、第１のコンデンサ４１を流れる電流と第２のコンデンサ４２を流れる電流との磁気結合を大きくすることができる。その結果、第１のコンデンサ４１を流れる電流による磁界と第２のコンデンサ４２を流れる電流による磁界とが弱め合う効果を高めることができる。
【００５３】
第１実施例においては、１つのコンデンサユニット１０に第１のコンデンサ４１及び第２のコンデンサ４２が内蔵されているため、２つのコンデンサのチップを配線基板に実装する構成と比べて、実装面積を小さくすることができる。その結果、配線基板の小型化を図ることが可能になる。また、第１のコンデンサ４１と第２のコンデンサ４２とが直列に接続されるため、一方のコンデンサに短絡モード故障が発生した場合でも、電源とグランドとの間が短絡してしまうことがない。これにより、コンデンサユニット１０を実装した装置の信頼性の向上を図ることができる。
【００５４】
第１のコンデンサ４１の第１の内部電極２２（図３Ａ）と第２のコンデンサ４２の第２の内部電極３１（図３Ａ）との容量結合が大きくなると、図３Ａの左端の近傍で第１の内部電極２２から第２の内部電極３１に高周波電流が流れてしまう。このように、本来の電流経路とは異なる経路を通って電流が流れてしまう。電流が本来の電流経路を流れるようにするために、第１のコンデンサ４１の第１の内部電極２２（図３Ａ）と第２のコンデンサ４２の第２の内部電極３１（図３Ａ）との容量結合を小さくすることが好ましい。
【００５５】
例えば、第１のコンデンサ要素４１ａの第１の内部電極２２と、当該第１の内部電極２２に対してｙ軸方向に隣り合う第２の内部電極３１とで形成される静電容量が、第１のコンデンサ要素４１ａの静電容量より小さくなるような構成とすることが好ましい。例えば、第１のコンデンサ４１と第２のコンデンサ４２との間の誘電体層の誘電率を、第１の内部電極２１と２２との間、及び第２の内部電極３１と３２との間の誘電体層の誘電率より小さくするとよい。
【００５６】
その他に、相互に隣り合う第１のコンデンサ要素４１ａと第２のコンデンサ要素４２ａとの間隔を、第１の内部電極２１と２２との間隔、及び第２の内部電極３１と３２との間隔より広くすることが好ましい。このような構成を採用すると、第１のコンデンサ要素４１ａの第１の内部電極２１、２２と第２のコンデンサ要素４２ａの第２の内部電極３１、３２との短絡モード故障が発生し難いという効果も得られる。
【００５７】
ただし、相互に隣り合う第１のコンデンサ要素４１ａと第２のコンデンサ要素４２ａとの間隔を広くすると、両者の磁気結合が弱まるため、磁界が弱め合うことによるＥＳＬの増大を抑制する効果が小さくなってしまう。第１のコンデンサ要素４１ａと第２のコンデンサ要素４２ａとの容量結合及び磁気結合の大きさを許容範囲に収めるという観点から、実験的にまたはシミュレーションによって両者の好ましい間隔を決定するとよい。第１のコンデンサ要素４１ａと第２のコンデンサ要素４２ａとの磁気結合を大きくするために、両者の間の誘電体層に絶縁性の強磁性材料を用いることが好ましい。
【００５８】
誘電体層として、例えばＢａＴｉＯ３、ＣａＴｉＯ３、ＳｒＴｉＯ３、ＣａＺｒＯ３等を主成分とする誘電体セラミックを用いることができる。これらの主成分に、Ｍｎ化合物、Ｆｅ化合物、Ｃｒ化合物、Ｃｏ化合物、Ｎｉ化合物等の副成分を添加してもよい。内部電極として、例えばＣｕ、Ｎｉ、Ａｇ、Ｐｄ、Ａｇ−Ｐｄ合金、Ａｕ等を用いることができる。第１のコンデンサ要素４１ａと第２のコンデンサ要素４２ａとの間に配置する絶縁性の強磁性材料として、例えばフェライト等を用いることができる。
【００５９】
［第２実施例］
次に、図４Ａから図４Ｅまでの図面を参照して、第２実施例によるコンデンサユニット１０について説明する。以下、第１実施例によるコンデンサユニットと共通の構成については説明を省略する。
【００６０】
図４Ａは、第２実施例によるコンデンサユニット１０の底面１４を上方に向けた状態の斜視図である。第１実施例では、一対の第１の外部電極１１の間に１つの第２の外部電極１２が配置されており、もう１つの第２の外部電極１２は、一対の第１の外部電極１１よりも外側に配置されていた。第２実施例では、一対の第２の外部電極１２の両方が一対の第１の外部電極１１の間に配置されている。
【００６１】
図４Ｂ及び図４Ｃは、それぞれ素体１５内に配置された第１の内部電極２１、２２の平面形状を示す図であり、図４Ｄ及び図４Ｅは、それぞれ素体１５内に配置された第２の内部電極３１、３２の平面形状を示す図である。図４Ｂ及び図４Ｄに示した第１の内部電極２１及び第２の内部電極３１の平面形状は、それぞれ第１実施例によるコンデンサユニット１０の第１の内部電極２１（図１Ｂ）及び第２の内部電極３１（図１Ｄ）の平面形状と同一である。
【００６２】
第１の内部電極２２（図４Ｃ）の引き出し部２２Ｂの底面１４における露出箇所が、第２の内部電極３１（図４Ｄ）の引き出し部３１Ｂの底面１４における露出箇所より外側に位置する。第１の内部電極２２の引き出し部２２Ｂは、一方の第１の外部電極１１（図４Ａ）に接続される。第２の内部電極３２の引き出し部３２Ｂは、引き出し部２２Ｂが接続される第１の外部電極１１より内側の第２の外部電極１２（図４Ａ）に接続される。
【００６３】
第２実施例のように、一対の第２の外部電極１２の両方を第１の外部電極１１の間に配置しても、第１の内部電極２１、２２及び第２の内部電極３１、３２を流れる電流による磁界が弱め合うという効果が得られる。このため、第２実施例においても、コンデンサユニット１０が挿入される回路のＥＳＬの増大を抑制する効果が得られる。
【００６４】
［第３実施例］
次に、図５Ａから図５Ｅまでの図面を参照して、第３実施例によるコンデンサユニット１０について説明する。以下、第１実施例によるコンデンサユニットと共通の構成については説明を省略する。
【００６５】
図５Ａは、第３実施例によるコンデンサユニット１０の底面１４を上方に向けた状態の斜視図である。第３実施例によるコンデンサユニット１０の外観は、第１実施例によるコンデンサユニット１０（図１Ａ）の外観と同一である。
【００６６】
図５Ｂ及び図５Ｃは、それぞれ素体１５内に配置された第１の内部電極２１、２２の平面形状を示す図であり、図５Ｄ及び図５Ｅは、それぞれ素体１５内に配置された第２の内部電極３１、３２の平面形状を示す図である。第１実施例では、第１の内部電極２１、２２及び第２の内部電極３１、３２の主部２１Ａ、２２Ａ、３１Ａ、３２Ａの平面形状が門型であった。これに対し、第３実施例では、主部２１Ａ、２２Ａ、３１Ａ、３２Ａの平面形状が長方形である。第３実施例によるコンデンサユニット１０の引き出し部２１Ｂ、２２Ｂ、３１Ｂ、３２Ｂの配置及び形状は、第１実施例によるコンデンサユニット１０のものと同一である。
【００６７】
第３実施例では、第１の内部電極２１、２２、及び第２の内部電極３１、３２を高さ方向（ｚ軸に平行な方向）に流れる電流の成分が、第１実施例に比べて少なくなる。第１の内部電極２１、２２を流れる電流のｘ軸に平行な成分と、第２の内部電極３１、３２を流れる電流のｘ軸に平行な成分とは、第１実施例の場合と同様に逆向きである。このため、第３実施例においても、電流による磁界が弱め合うことにより、コンデンサユニット１０のＥＳＬの増大を抑制することができる。
【００６８】
［第４実施例］
次に、図６Ａから図６Ｅまでの図面を参照して、第４実施例によるコンデンサユニット１０について説明する。以下、第１実施例によるコンデンサユニットと共通の構成については説明を省略する。
【００６９】
図６Ａは、第４実施例によるコンデンサユニット１０の底面１４を上方に向けた状態の斜視図である。第１実施例では、素体１５の底面１４に一対の第１の外部電極１１と一対の第２の外部電極１２とが個別に設けられており、合計４個の外部電極が設けられていた。第４実施例では、長さ方向（ｘ軸方向）の中心に対して片側に位置する第１の外部電極１１と第２の外部電極１２とが一体化されており、合計３個の外部電極が設けられている。一体化された１つの外部電極１３は、一対の第１の外部電極１１の一方と、一対の第２の外部電極１２の一方とを兼ねている。
【００７０】
図６Ｂ、図６Ｃ、図６Ｄ、図６Ｅは、それぞれ第１の内部電極２１、２２、及び第２の内部電極３１、３２の平面形状を示す図である。第４実施例によるコンデンサユニット１０の第１の内部電極２１及び第２の内部電極３２の平面形状は、それぞれ第１実施例によるコンデンサユニット１０の第１の内部電極２１（図１Ｂ）、及び第２の内部電極３２（図１Ｅ）の平面形状と同一である。第１の内部電極２２及び第２の内部電極３１の引き出し部２２Ｂ、３１Ｂは、ｘ軸方向に関してほぼ同一の位置において底面１４に露出しており、一体化された外部電極１３（図６Ａ）に接続されている。
【００７１】
第１実施例では、第１の外部電極１１の一方と、第２の外部電極１２の一方とを、例えば配線基板５０内の導体パターン５３（図３Ａ）によって接続することにより、第１のコンデンサ４１と第２のコンデンサ４２（図３Ａ）とを直列接続した。第４実施例では、一方の第１の外部電極１１と一方の第２の外部電極１２とを一体化して１つの外部電極１３とすることにより、第１のコンデンサ４１と第２のコンデンサ４２とを直列に接続している。この構成では、一体化された外部電極１３が、一方の第１の外部電極１１としての機能を持つとともに、一方の第２の外部電極１２としての機能を持つ。第４実施例によるコンデンサユニット１０の構成は、素体１５の底面１４に一対の第１の外部電極１１及び一対の第２の外部電極１２が設けられているという点で、第１実施例によるコンデンサユニット１０の構成と同一である。
【００７２】
第４実施例においても、第１の実施例と同様に、コンデンサユニット１０のＥＳＬの増大を抑制することができる。
【００７３】
［第５実施例］
次に、図７、及び図８Ａ及び図８Ｂを参照して、第５実施例による電子部品について説明する。
図７は、第５実施例による電子部品の斜視図である。配線基板６０の上面に、第１のコンデンサユニット７０及び第２のコンデンサユニット８０が実装されている。第１のコンデンサユニット７０及び第２のコンデンサユニット８０の各々の構成は、第１実施例、第２実施例、または第３実施例によるコンデンサユニット１０の構成と実質的に同一である。
【００７４】
第１のコンデンサユニット７０は、その底面７４に設けられた一対の第１の外部電極７１及び一対の第２の外部電極７２を含む。同様に、第２のコンデンサユニット８０も、その底面８４に設けられた一対の第１の外部電極８１及び一対の第２の外部電極８２を含む。第１のコンデンサユニット７０及び第２のコンデンサユニット８０は、それらの底面７４、８４が配線基板６０の上面に対して平行な方向を向くように横倒しにされ、底面７４、８４同士が対向する姿勢で配線基板６０に実装されている。このとき、第１のコンデンサユニット７０の第１の外部電極７１及び第２の外部電極７２が、それぞれ第２のコンデンサユニット８０の第１の外部電極８１及び第２の外部電極８２に対向する。第１のコンデンサユニット７０及び第２のコンデンサユニット８０の第１の内部電極と第２の内部電極とが積層される方向は、配線基板６０の表面に対して垂直になる。
【００７５】
第１実施例では、第１の外部電極１１及び第２の外部電極１２（図１Ａ）が底面１４のみに形成されていたが、第５実施例では、第１のコンデンサユニット７０の第１の外部電極７１及び第２の外部電極７２が、底面７４から側面の一部の領域まで延びている。同様に、第２のコンデンサユニット８０の第１の外部電極８１及び第２の外部電極８２も、底面８４から側面の一部の領域まで延びている。このような構成としたのは、第１のコンデンサユニット７０及び第２のコンデンサユニット８０を配線基板６０に実装するときのはんだ付け工程を容易にするためである。
【００７６】
第１のコンデンサユニット７０は、誘電体の素体７３内に配置された第１のコンデンサ７５及び第２のコンデンサ７６を含む。第１のコンデンサ７５が一対の第１の外部電極７１に接続され、第２のコンデンサ７６が一対の第２の外部電極７２に接続されている。第２のコンデンサユニット８０は、誘電体の素体８３内に配置された第１のコンデンサ８５及び第２のコンデンサ８６を含む。第１のコンデンサ８５が第１の外部電極８１に接続され、第２のコンデンサ８６が第２の外部電極８２に接続されている。
【００７７】
図８Ａは、第１のコンデンサユニット７０と第２のコンデンサユニット８０との接続形態を示す図であり、図８Ｂはその接続形態を模式的に表した図である。図８Ａでは、第１のコンデンサユニット７０の第１のコンデンサ７５を構成する複数対の第１の内部電極及び第２の内部電極のうち一対のみを示し、第２のコンデンサ７６を構成する複数対の第１の内部電極及び第２の内部電極のうち一対のみを示している。第２のコンデンサユニット８０の第１のコンデンサ８５及び第２のコンデンサ８６においても同様である。
【００７８】
第１のコンデンサユニット７０及び第２のコンデンサユニット８０の長さ方向の中心に対して同じ側（図８Ａにおいて右側）に配置された第１の外部電極７１と第２の外部電極８２とが配線基板６０の導電パターン６３によって接続されている。第１のコンデンサユニット７０の第１のコンデンサ７５と第２のコンデンサユニット８０の第２のコンデンサ８６とが直列に接続されることにより、第１の直列回路９１が構成される。さらに、第１のコンデンサユニット７０の及び第２のコンデンサユニット８０の長さ方向の中心に対して同じ側（図８Ａにおいて右側）の第２の外部電極７２と第１の外部電極８１とが配線基板６０の導電パターン６４によって接続されている。導電パターン６３と導電パターン６４とは、平面視において相互に交差する。第１のコンデンサユニット７０の第２のコンデンサ７６と第２のコンデンサユニット８０の第１のコンデンサ８５とが直列に接続されることにより、第２の直列回路９２が構成される。
【００７９】
第１のコンデンサユニット７０の他の１つの第１の外部電極７１及び第２のコンデンサユニット８０の他の１つの第１の外部電極８１が電源パターン６１に接続されている。第１のコンデンサユニット７０の他の１つの第２の外部電極７２及び第２のコンデンサユニット８０の他の１つの第２の外部電極８２がグランドパターン６２に接続されている。これにより、第１の直列回路９１と第２の直列回路９２とが、配線基板６０の電源パターン６１とグランドパターン６２との間に並列に接続される。
【００８０】
次に、第５実施例による電子部品が持つ優れた効果について説明する。
第１の直列回路９１を通って電源パターン６１からグランドパターン６２に流れる電流は、図８Ａ及び図８Ｂにおいて時計回りに流れることになる。第２の直列回路９２を通って電源パターン６１からグランドパターン６２に流れる電流は、図８Ａ及び図８Ｂにおいて反時計回りに流れることになる。このため、第１の直列回路９１を流れる電流による磁界と、第２の直列回路９２を流れる電流による磁界とが、相互に弱め合う。
【００８１】
これらの磁界が相互に弱め合うことにより、電源パターン６１から第１のコンデンサユニット７０及び第２のコンデンサユニット８０を通ってグランドパターン６２に向かう電流路のＥＳＬの増大を抑制することができる。
【００８２】
さらに、第５実施例では、電源とグランドとの間に、第１の直列回路９１と第２の直列回路９２とが並列に接続されている。このため、一方の直列回路に開放モード故障が発生しても、他方の直列回路によってデカップリングコンデンサとしての機能を維持することができる。
【００８３】
［第５実施例の第１変形例］
次に、図９Ａ及び図９Ｂを参照して第５実施例の第１変形例による電子部品について説明する。以下、第５実施例による電子部品と共通の構成については説明を省略する。
【００８４】
図９Ａは、第５実施例の第１変形例による電子部品に用いられている第１のコンデンサユニット７０と第２のコンデンサユニット８０との接続形態を示す図であり、図９Ｂは、その接続形態を模式的に示す図である。第５実施例では、図８Ａにおいて右側の第１の外部電極７１と右側の第２の外部電極８２とを接続し、右側の第２の外部電極７２と右側の第１の外部電極８１とを接続した。このように接続するために、導電パターン６３と導電パターン６４（図８）とを交差させた。
【００８５】
第５実施例の第１変形例においては、図９Ａにおいて第１のコンデンサユニット７０の右側の第１の外部電極７１と第２のコンデンサユニット８０の第１の外部電極８１とを、導電パターン６５により接続している。さらに、第１のコンデンサユニット７０の右側の第２の外部電極７２と第２のコンデンサユニット８０の第２の外部電極８２とを、導電パターン６６により接続している。導電パターン６５と導電パターン６６とは平面視において交差することはない。
【００８６】
第１のコンデンサユニット７０の第１のコンデンサ７５と第２のコンデンサユニット８０の第１のコンデンサ８５とが直列に接続されることにより、第１の直列回路９１が構成される。第１のコンデンサユニット７０の第２のコンデンサ７６と第２のコンデンサユニット８０の第２のコンデンサ８６とが直列に接続されることにより、第２の直列回路９２が構成される。
【００８７】
第１のコンデンサユニット７０の左側の第１の外部電極７１、及び第２のコンデンサユニット８０の左側の第２の外部電極８２が電源パターン６１に接続されている。第１のコンデンサユニット７０の左側の第２の外部電極７２、及び第２のコンデンサユニット８０の左側の第１の外部電極８１がグランドパターン６２に接続されている。
【００８８】
このように接続すると、第５実施例の場合と同様に、第１の直列回路９１を流れる電流の向きと、第２の直列回路９２を流れる電流の向きとが、相互に反対になる。このため、第５実施例と同様の効果が得られる。
【００８９】
［第５実施例の第２変形例］
次に、図１０Ａ及び図１０Ｂを参照して第５実施例の第２変形例による電子部品について説明する。以下、第５実施例の第１変形例による電子部品と共通の構成については説明を省略する。
【００９０】
図１０Ａは、第５実施例の第２変形例による電子部品に用いられている第１のコンデンサユニット７０と第２のコンデンサユニット８０との接続形態を示す図であり、図１０Ｂは、その接続形態を模式的に示す図である。第５実施例の第１変形例では、第１の外部電極７１と第１の外部電極８１との接続、及び第２の外部電極７２と第２の外部電極８２との接続を、長さ方向の中心に対して同じ側（図９Ａ及び図９Ｂにおいて右側）で行った。第２変形例では、長さ方向の中心に対して、第１の外部電極７１と第１の外部電極８１を接続する側（図１０Ａ、図１０Ｂにおいて右側）と、第２の外部電極７２と第２の外部電極８２を接続する側（図１０Ａ、図１０Ｂにおいて左側）とが反対側である。
【００９１】
第１のコンデンサユニット７０の第１のコンデンサ７５と第２のコンデンサユニット８０の第１のコンデンサ８５とを含む第１の直列回路９１の構成は、第５実施例の第１変形例の第１の直列回路９１の構成と同一である。第２のコンデンサ７６と第２のコンデンサ８６とを含む第２の直列回路９２においては、図１０Ａ及び図１０Ｂにおいて右側の第２の外部電極７２及び第２の外部電極８２が、それぞれ電源パターン６１及びグランドパターン６２に接続される。
【００９２】
このように接続すると、第５実施例の第１変形例の場合と同様に、第１の直列回路９１を流れる電流の向きと、第２の直列回路９２を流れる電流の向きとが、相互に反対になる。このため、第５実施例と同様の効果が得られる。
【００９３】
［第６実施例］
次に、図１１及び図１２を参照して第６実施例による電子部品について説明する。以下、第５実施例による電子部品と共通の構成については説明を省略する。
【００９４】
図１１は、第６実施例による電子部品の斜視図である。第５実施例では、図７に示したように第１のコンデンサユニット７０及び第２のコンデンサユニット８０が配線基板６０の同一の表面に実装されていた。第６実施例では、第１のコンデンサユニット７０及び第２のコンデンサユニット８０が、それぞれ配線基板６０の表側の表面及び裏側の表面に実装されている。
【００９５】
第１のコンデンサユニット７０の底面７４及び第２のコンデンサユニット８０の底面８４が、配線基板６０を介して相互に対向している。第１のコンデンサユニット７０内の第１の内部電極及び第２の内部電極が積層される方向、第２のコンデンサユニット８０内の第１の内部電極及び第２の内部電極が積層される方向は、配線基板６０の表面に対して平行になる。さらに、第１のコンデンサユニット７０の第１の外部電極７１及び第２の外部電極７２が並ぶ方向、及び第２のコンデンサユニット８０の第１の外部電極８１及び第２の外部電極８２が並ぶ方向も、配線基板６０の表面に対して平行になる。
【００９６】
図１２は、第１のコンデンサユニット７０と第２のコンデンサユニット８０との接続形態を示す図である。第１のコンデンサユニット７０と第２のコンデンサユニット８０との接続形態は、図８Ａに示した第５実施例における接続形態と同一である。第１のコンデンサユニット７０の第１のコンデンサ７５と第２のコンデンサユニット８０の第２のコンデンサ８６とが直列に接続されて、第１の直列回路９１が構成される。第１のコンデンサユニット７０の第２のコンデンサ７６と第２のコンデンサユニット８０の第１のコンデンサ８５とが直列に接続されて第２の直列回路９２が構成される。
【００９７】
第５実施例の場合と同様に、第１の直列回路９１を流れる電流による磁界と、第２の直列回路９２を流れる電流による磁界とが、相互に弱め合う。このため、電源パターン６１から第１のコンデンサユニット７０及び第２のコンデンサユニット８０を通ってグランドパターン６２に向かう電流路のＥＳＬの増大を抑制することができる。
【００９８】
第１のコンデンサユニット７０と第２のコンデンサユニット８０との接続形態として、第５実施例の第１変形例（図９Ａ、図９Ｂ）、第５実施例の第２変形例（図１０Ａ、図１０Ｂ）等の接続形態を採用してもよい。
【００９９】
上述の各実施例は例示であり、異なる実施例で示した構成の部分的な置換または組み合わせが可能であることは言うまでもない。複数の実施例の同様の構成による同様の作用効果については実施例ごとには逐次言及しない。さらに、本発明は上述の実施例に制限されるものではない。例えば、種々の変更、改良、組み合わせ等が可能なことは当業者に自明であろう。
【符号の説明】
【０１００】
１０  コンデンサユニット
１１  第１の外部電極
１２  第２の外部電極
１３  一体化された外部電極
１４  底面
１５  素体
１６  グリーンシート
１７  誘電体シート
２１  第１の内部電極
２１Ａ  主部
２１Ｂ  引き出し部
２２  第１の内部電極
２２Ａ  主部
２２Ｂ  引き出し部
３１  第２の内部電極
３１Ａ  主部
３１Ｂ  引き出し部
３２  第２の内部電極
３２Ａ  主部
３２Ｂ  引き出し部
４１  第１のコンデンサ
４１ａ  第１のコンデンサ要素
４２  第２のコンデンサ
４２ａ  第２のコンデンサ要素
５０  配線基板
５１  電源パターン
５２  グランドパターン
５３  導体パターン
６０  配線基板
６１  電源パターン
６２  グランドパターン
６３、６４、６５、６６  導体パターン
７０  第１のコンデンサユニット
７１  第１のコンデンサユニットの第１の外部電極
７２  第１のコンデンサユニットの第２の外部電極
７３  第１のコンデンサユニットの素体
７４  第１のコンデンサユニットの底面
７５  第１のコンデンサユニットの第１のコンデンサ
７６  第１のコンデンサユニットの第２のコンデンサ
８０  第２のコンデンサユニット
８１  第２のコンデンサユニットの第１の外部電極
８２  第２のコンデンサユニットの第２の外部電極
８３  第２のコンデンサユニットの素体
８４  第２のコンデンサユニットの底面
８５  第２のコンデンサユニットの第１のコンデンサ
８６  第２のコンデンサユニットの第２のコンデンサ
９１  第１の直列回路
９２  第２の直列回路
【図１】
2019004070.tif 000003
【図２】
2019004070.tif 000004
【図３】
2019004070.tif 000005
【図４】
2019004070.tif 000006
【図５】
2019004070.tif 000007
【図６】
2019004070.tif 000008
【図７】
2019004070.tif 000009
【図８】
2019004070.tif 000010
【図９】
2019004070.tif 000011
【図１０】
2019004070.tif 000012
【図１１】
2019004070.tif 000013
【図１２】
2019004070.tif 000014